(57)【特許請求の範囲】
【請求項１】
コンクリート型枠として天井面に敷き詰められた型枠兼用下地ボード上に、略直方体の断熱埋込材をその長手方向に連結して幅方向に所定間隔で配列固定した後、コンクリートを打設することにより、前記断熱埋込材の上に形成されるフラットスラブと、断熱埋込材の各列の間に形成される複数条の小梁が一体に構築されたＴ型梁スラブであって、
前記断熱埋込材の底面側に複数の空気室が開口形成されると共に、当該埋込材の底面周縁または各空気室の開口部周縁には、当該埋込材を型枠兼用下地ボードに押し付けようとする下向荷重により圧縮変形して下地ボードに密着する軟弱リブが突出形成され、
前記型枠兼用下地ボードには、その側面に開口する配線兼用通気孔が貫通形成されると共に、前記断熱埋込材の空気室と対応する位置に、当該空気室と前記配線兼用通気孔を連通する空気穴が開口されたことを特徴とするＴ型梁スラブ。
【請求項２】
フラットスラブの下面側に所定間隔で小梁を突出させたＴ型梁スラブを構築する際に、そのコンクリート型枠として天井面に敷き詰められた型枠兼用下地ボード上に載置されて、その上から打設されるコンクリートで埋設される略直方体の断熱埋込材であって、
埋込材本体の底面側には、型枠兼用下地ボードの側面に開口される配線兼用通気孔に連通してその上面に開口される空気穴と対応する位置に、複数の空気室が開口形成されると共に、埋込材本体の底面周縁または各空気室の開口部周縁には、埋込材本体を型枠兼用下地ボードに押し付けようとする下向荷重により圧縮変形して下地ボードに密着する軟弱リブが突出形成されていることを特徴とするＴ型梁スラブ用断熱埋込材。
【請求項３】
前記埋込材本体を下地ボードに固定するための取付孔が、当該本体を上下に貫通して形成されると共に、当該取付孔の底面側開口部周縁には、埋込材本体を型枠兼用下地ボードに押し付けようとする下向荷重により圧縮変形して下地ボードに密着する軟弱リブが突出形成された請求項２記載の断熱埋込材。
【請求項４】
フラットスラブの下面側に所定間隔で小梁を突出させたＴ型梁スラブを構築する際にコンクリート型枠としてその下面高さに敷き詰められ、底面に複数の空気室が開口形成された断熱埋込材を載置してその上からコンクリートを打設することにより、埋込材の底面周縁または各空気室開口部周縁に形成された軟弱リブが圧縮変形されて密着される型枠兼用下地ボードであって、
ボード本体内には、その側面に開口するように配線兼用通気孔が貫通形成されると共に、ボード本体上に載置固定される前記断熱埋込材の空気室と対応する位置に、当該空気室と前記配線兼用通気孔を連通する空気穴が開口されたことを特徴とする型枠兼用下地ボード。
【請求項５】
隣接する２枚の下地ボードの側面同士を当接させて継ぎ合わせたときに、その継合せ面の間に通気孔となる隙間を生ずる凹溝が形成されて成る請求項４記載の型枠兼用下地ボード。
【発明の詳細な説明】
【０００１】
【発明の属する技術分野】
フラットスラブの下面側に所定間隔で小梁を突出形成させたＴ型梁スラブと、それに用いる断熱埋込材及び型枠兼用下地ボードに関する。
【０００２】
【従来の技術】
マンションなどの天井面及び床面となるスラブを構築する場合、まず、その下面に型枠となるベニヤ板などせき板を敷き詰めて型枠の組立てを行い、次いで、当該せき板の上にコンクリートを打設し、硬化した後にせき板を取り外して型枠バラシを行い、最後に、天井面となる下向面に内装仕上げを行なうのが一般的である。
【０００３】
ところで最近では、スラブのワイドスパン化が図られており、厚さが均等なフラットスラブでは強度不足となるところから、スラブ断面を工夫してスラブを強化したＴ型梁スラブが用いられている。
【０００４】
このＴ型梁スラブは、フラットスラブの下面側に、小梁となる突条のリブを所定間隔で一体形成したもので、大梁間や耐力壁間に所定間隔で架設される小梁でフラットスラブを支持したものと等しい強度を有する。
【０００５】
しかしながら、このようなＴ型梁スラブは天井面側に多数の突条を形成しなければならないため、その型枠の組立て及び支持がフラットスラブに比して非常に面倒で工期・工費が嵩むだけでなく、コンクリート養生後は、天井面に小梁の凹凸が形成されるために見栄えが悪く、内装工事も面倒でコストが嵩むという問題があった。
【０００６】
さらに最近では、次世代省エネルギー基準が告示されており、コンクリートの熱還流を遮断して住宅の高断熱化や壁内結露防止を図るために、型枠を外した後、天井面に断熱材と下地用のボードを２層にして張付けたり、断熱材で形成された下地用のボードを貼り付けなければならず、建築資材が増え、工期が延び、コストが嵩むという問題があった。
【０００７】
このため、本出願人は、Ｔ型梁スラブを構築する際に、天井面側をフラットに形成し、型枠バラシ、内装用下地ボード及び断熱材の施工の面倒を解消し、ひいては、建築資材の削減、工期の短縮、建築コストの低減を図ることのできるＴ型梁スラブを提案した（特願２００１−４９４７３）。
【０００８】
これは、図６に示すように、コンクリート型枠として天井面に敷き詰められた型枠兼用下地ボード４１…上に、略直方体の断熱埋込材４２…をその長手方向に連結して幅方向に所定間隔で配列固定した後、コンクリート４３を打設することにより、断熱埋込材４２…の各列の間に形成される複数条の小梁Ｓ２…と、断熱埋込材４２…の上に形成されるフラットスラブＳ１を一体に構築するものである。
【０００９】
そして、断熱埋込材４２は略直方体の発泡樹脂で形成され、その底面側に複数の空気室４４…を開口形成することにより、材料費を低減し、断熱効果・防音効果を向上させている。
【００１０】
【発明が解決しようとする課題】
しかしながら、このようにしてＴ型梁スラブを構築する場合に、コンクリートが養生するまでに染み出す水分が型枠兼用下地ボード４１…と埋込材４２…との隙間から空気室４４に浸入し、そのままコンクリートが固まってしまうと、空気室４４は気密空間となるので、水分が外部へ抜けずに溜まったままになり、後々、裏面側からボード４１内に染み込んでボード４１を変形させたり、表側に染み出して内装を汚す可能性が指摘された。
【００１１】
そこで、本発明は、コンクリートから染み出す水分が埋込材の空気室に浸入するのを阻止すると共に、万一浸入してもこれを外部に逃がすことができるようにすることを技術的課題としている。
【００１２】
【課題を解決するための手段】
この課題を解決するために、本発明は、コンクリート型枠として天井面に敷き詰められた型枠兼用下地ボード上に、略直方体の断熱埋込材をその長手方向に連結して幅方向に所定間隔で配列固定した後、コンクリートを打設することにより、前記断熱埋込材の上に形成されるフラットスラブと、断熱埋込材の各列の間に形成される複数条の小梁が一体に構築されたＴ型梁スラブであって、前記断熱埋込材の底面側に複数の空気室が開口形成されると共に、当該埋込材の底面周縁または各空気室の開口部周縁には、当該埋込材を型枠兼用下地ボードに押し付けようとする下向荷重により圧縮変形して下地ボードに密着する軟弱リブが突出形成され、前記型枠兼用下地ボードには、その側面に開口する配線兼用通気孔が貫通形成されると共に、前記断熱埋込材の空気室と対応する位置に、当該空気室と前記配線兼用通気孔を連通する空気穴が開口されたことを特徴とする。
【００１３】
本発明によれば、型枠兼用下地ボードに断熱埋込材を押し当てて固定したり、コンクリートを打設すると、断熱埋込材に下向荷重が作用し、その底面周縁または各空気室の開口部周縁に形成された軟弱リブが潰れて圧縮変形するので、型枠兼用下地ボードと埋込材の隙間を塞ぐパッキンの機能を果たし、空気室の周囲から空気室内への水分の浸入が阻止される。
【００１４】
また、万一、空気室内に水分が浸入することがあっても、型枠兼用下地ボードには、その側面に開口するように配線兼用通気孔が貫通形成され、各前記断熱埋込材の空気室と対応する位置に、当該空気室と前記配線兼用通気孔を連通する空気穴が開口されているので、浸入した水分は水蒸気となって配線兼用通気孔から外部へ逃がされることとなり、空気室内に溜まったままになることがない。
【００１５】
【発明の実施の形態】
以下、本発明の実施の形態を図面に基づいて具体的に説明する。
図１は本発明に係るＴ型梁スラブの一例を示す断面図、図２は断熱埋込材を示す斜視図、図３は型枠兼用下地ボードを示す斜視図である。
【００１６】
本例のＴ型梁スラブ１は、コンクリート型枠として天井面に敷き詰められた型枠兼用下地ボード２…上に、略直方体の断熱埋込材３…をその長手方向に連結して幅方向に所定間隔で配列固定した後、その上からコンクリートを打設することにより、前記断熱埋込材３…の上に形成されるフラットスラブＳ１と、断熱埋込材３…の各列の間に形成される複数条の小梁Ｓ２が一体に構築されてなる。
【００１７】
型枠兼用下地ボード２は、壁紙などの内装材を直張り可能な耐火性耐力面材４の裏面側に、難燃性又は不燃性の断熱パネル５が積層されて一体に形成されたボード本体２Ａに、配線兼用通気孔６が形成されて成る。
【００１８】
耐火性耐力面材４としては、無機発泡体及び繊維状物を含む主剤を結合材で祖固めた心材板４Ａの表裏両面に、鉱物繊維を含む主剤を結合材で固めた繊維補強層４Ｂ、４Ｂを一体成形して三層構造に形成した厚さ６〜１２ｍｍ程度のダイライト（大建工業株式会社の商品名）を用いた。
【００１９】
この耐火性耐力面材４は、無機質原料が繊維状になって絡み合った多孔質体であり、特類の構造用合板と同等の強度を有し、防腐、防蟻性、防耐火性、通気性に優れ、吸湿による膨張も極めて少ないという建材に適した特性を有している。
【００２０】
断熱パネル５としては、熱伝導率が低く、且つ、耐火性能に優れたものが好ましく、本例では、熱伝導率が0.017kcal/m・h・℃（0.020Ｗ／ｍ・Ｋ）のフェノール発泡樹脂である厚さ５０〜７０ｍｍのネオマフォーム（旭化成建材株式会社の商品名）やビーズ発泡スチレンボードを用いた。
【００２１】
このボード本体２Ａには、断熱パネル５の部分に、その側面に開口するように配線兼用通気孔６が貫通形成されている。
そして、断熱埋込材３の底面側に開口形成された各空気室７…と対応する位置に、当該空気室７…と前記配線兼用通気孔６を連通する空気穴６ａ…が開口されて、型枠兼用下地ボード２が形成されている。
【００２２】
断熱埋込材３は、前記断熱パネル５と同様、ネオマフォーム（旭化成建材株式会社の商品名）やビーズ発泡スチレンボードで形成された埋込材本体３Ａの底面側に、各空気室７が開口形成されると共に、側壁面８が反響音を弱音化させる連続三角波形状の凹凸面に形成されてなる。
また、各空気室７の側壁面８に、空気室７同士を連通する連結孔８ａが形成され、一つの空気室７だけ高湿度にならないようになっている。
【００２３】
また、長手方向に延びる中心線Ｘ上に、当該断熱埋込材３を型枠兼用下地ボード２に固定するための締付ロッド９を挿通する取付孔１０が形成されている。
【００２４】
この断熱埋込材３の底面周縁及び取付孔１０の底面側開口部１０ａ周縁には、コンクリートを打設したときにその重さにより圧縮変形する軟弱リブ１１及び１２が突出形成されている。
この軟弱リブ１１及び１２は、断熱埋込材３と同じ材質で、その形成時に同時に形成され、打設されたコンクリートの荷重で圧縮変形する程度の比較的幅の狭い突条で形成されている。
【００２５】
そして、断熱埋込材３の底面周縁に設けられた軟弱リブ１１が打設されたコンクリートの重さにより圧縮変形することにより、そのコンクリートから水分が染み出しても、断熱埋込材３周囲から空気室７への浸入が阻止される。また、取付孔１０の底面側開口部１０ａの周縁に設けられた軟弱リブ１２が圧縮変形することにより、取付孔１０内に打設されたコンクリートから水分が染み出しても、取付孔１０の内側から空気室７への浸入が阻止される。
【００２６】
なお、前記取付孔１０に隣接する空気室７ａは、必要に応じて上面を開口させてコンクリートを流し込むことができるように、断熱埋込材３の上面部分が薄く形成されると共に、周囲には凹溝（脆弱部）１３が形成されている。さらに、比較的面積の広い各空気室７には、コンクリート打設時にその重さで埋込材３の上面がつぶれないように脚１４が形成されている。
【００２７】
なお、１５は埋込材固定具であって、断熱埋込材３の取付孔１０に挿通される締付ロッド９と、取付孔１０の位置に対応して型枠兼用下地ボード２の耐火性耐力面材４に接着剤やビスなどで固定されるベース１６と、断熱埋込材３の上に載せられる配筋用スペーサ１７からなる。
【００２８】
そして、断熱埋込材３の取付孔１０に挿通された締付ロッド９の上下両端９Ｕ、９Ｄを、前記ベース１６及びスペーサ１７の係合部１６ａ、１７ａに係合することにより断熱埋込材３を型枠兼用下地ボード２に固定するように成っている。
また、配筋用スペーサ１７にはコンクリートから抜け落ちないように引張抵抗を増大させるフランジ状のアンカー１８が形成されている。
【００２９】
そして、型枠兼用下地ボード２の上に断熱埋込材３を置き、取付孔１０に締付ロッド９を挿し入れ、その下端部をベース１６に係合させた状態で、その上端部を配筋用スペーサ１７に係合させる。
これにより、断熱埋込材３はその上面から配筋用スペーサ１７で押え付けられて下向荷重が作用して下地ボード２に押し当てられるので、その底面に形成された軟弱リブ１１及び１２が潰れて圧縮変形する。
【００３０】
そして、コンクリートを打設すると、その重みで、断熱埋込材３にさらに下向荷重が作用するので、軟弱リブ１１及び１２も潰れてさらに圧縮変形する。
このようにして、軟弱リブ１１及び１２が圧縮変形されてパッキンの機能を果たすので、断熱埋込材３の底面は下地ボード２に密着され、水分の侵入が確実に阻止される。
【００３１】
また、軟弱リブ１１及び１２が変形する際に皺が寄るなどして、十分に気密性が維持できずに、空気室７内に水分が浸入しても、その水分は、水蒸気となって各空気室７から空気穴６ａを介して配線兼用通気孔６を通り、外部に逃がされる。
さらに、一部の空気穴６ａが何らかの原因で塞がってしまっても、各空気室７同士が連結孔８ａを介して連通されているので、その水蒸気は他の空気室７から配線兼用通気孔６を通り外部に確実に逃がされる。
【００３２】
また、図５に示すように、互いに隣接する型枠兼用下地ボード２Ｒ及び２Ｌを継ぎ合わす継合せ面２１Ｒ及び２１Ｌを合いじゃくり面に加工すると共に、その一方の継合せ面２１Ｌに凹溝２２を形成してもよい。
この場合、継合せ面２１Ｒ及び２１Ｌ同士を当接させて継ぎ合わせると、凹溝２２により継合せ面２１Ｒ及び２１Ｌの間に通気孔２３が形成される。
【００３３】
したがって、コンクリートが養生するまでに染み出す水や湿った空気が断熱埋込材３の空気室７内に浸入した場合は、その水分を配線兼用通気孔６から外部に逃がすことができ、型枠兼用下地ボード２Ｒ及び２Ｌの隙間に侵入した場合は、通気孔２３を通って外部に逃がされ、室内側に染み出したり、内装材を汚すことがない。
【００３４】
なお、型枠兼用下地ボード２Ｒ及び２Ｌはスラブ１を構築する場合に限らず、内外壁を構築する場合に使用することもできる。
この場合、型枠兼用下地ボード２Ｒ及び２Ｌに埋込材３を配列固定する必要はないので、各ボード２Ｒ及び２Ｌは、空気穴６ａを形成することなく、通気孔２３となる凹溝２２及び配線兼用通気孔６が形成されていれば足り、中間部に配線兼用通気孔６も必要ない場合は通気孔２３となる凹溝２２のみを形成し、この通気孔２３を配線兼用通気孔として使用すればよい。
【００３５】
このようにして構築されるＴ型梁スラブ１は、階下と階上の間に設けられる大梁に支持されるが、支持形式としては、大梁の下端側がＴ型梁スラブ１の下方に出っ張るようにその上端面同士を面一に合せて支持する形式であっても、また、階上の床に配管空間を形成すると共に階下の天井の出っ張りを無くすため大梁の上端側をＴ型梁スラブの上方に突出させて下端面同士を面一に合せて支持する所謂逆梁スラブ構造形式であっても、さらに、大梁の上端側及び下端側の双方がＴ型梁スラブの上下両方に出っ張るようにＴ型梁スラブ１を大梁の中間高さに支持する形式であっても良い。
【００３６】
【発明の効果】
以上述べたように、本発明によれば、コンクリート養生の際に染み出す水分の空気室への侵入を確実に阻止することができると共に、万一浸入してもこれを外部に逃がすことができるので、空気室内に水分が溜まることによる不具合を解消することができるという大変優れた効果を奏する。
【図面の簡単な説明】
【図１】本発明に係るＴ型梁スラブの一例を示す断面図。
【図２】本発明に係る断熱埋込材の一例を示す底面図。
【図３】その断面図。
【図４】本発明に係る型枠兼用下地ボードの一例を示す斜視図。
【図５】本発明に係る型枠兼用下地ボードの他の例を示す斜視図。
【図６】従来のＴ型梁スラブを示す断面図。
【符号の説明】
１………Ｔ型梁スラブ
２………型枠兼用下地ボード
２Ａ………ボード本体
３………断熱埋込材
３Ａ………埋込材本体
Ｓ１………フラットスラブ
Ｓ２………小梁
４………耐火性耐力面材
６………配線兼用通気孔
６ａ………空気穴
７………空気室７
１０………取付孔
１０ａ………底面側開口部
１１，１２………軟弱リブ
【図１】
0003673219.tif 000002
【図２】
0003673219.tif 000003
【図３】
0003673219.tif 000004
【図４】
0003673219.tif 000005
【図５】
0003673219.tif 000006
【図６】
0003673219.tif 000007